(57)【要約】  【課題】  地震が発生して信号線が断線しても動作が可能となり、またこの場合において、火災を検出した場合に、確実に火災発生を報知できるようにすること。  【解決手段】  火災受信機から信号線に印加される電源電圧を取り込む電源回路と、地震等による振動量を検出し、該検出した振動量に応じた振動量レベルを出力する振動検出回路と、火災現象に関する物理量を検出し、該検出した物理量に応じた物理量レベルを出力する火災検出回路と、前記振動量レベルに基づいて地震を検出し、また前記物理量レベルに基づいて火災を検出する制御回路と、を備えた火災感知器において、内部電源と、前記電源回路または内部電源のいずれかを切換接続して、火災感知器電源として選択する電源切換回路と、を備え、前記電源切換回路は、通常時は前記電源回路と接続されており、前記制御回路が地震を検出すると、前記電源切換回路は、前記内部電源と接続されることを特徴とする。  【選択図】  図１
2005266950.tif 000002
【特許請求の範囲】
【請求項１】
火災受信機から信号線に印加される電源電圧を取り込む電源回路と、地震等による振動量を検出し、該検出した振動量に応じた振動量レベルを出力する振動検出回路と、火災現象に関する物理量を検出し、該検出した物理量に応じた物理量レベルを出力する火災検出回路と、前記振動量レベルに基づいて地震を検出し、また前記物理量レベルに基づいて火災を検出する制御回路と、を備えた火災感知器において、
内部電源と、前記電源回路または内部電源のいずれかを切換接続して、火災感知器電源として選択する電源切換回路と、を備え、
前記電源切換回路は、通常時は前記電源回路と接続されており、前記制御回路が地震を検出すると、前記電源切換回路は、前記内部電源と接続されることを特徴とする火災感知器。
【請求項２】
前記制御回路は、地震を検出したときにおける前記物理量レベルのサンプリング周期を、地震を検出していないときにおける前記物理量レベルのサンプリング周期よりも早くすることを特徴とする請求項１記載の火災感知器。
【請求項３】
前記信号線に火災信号を出力する火災信号出力回路と、火災信号を無線送信する無線送信回路と、を備え、
前記制御回路は、前記電源切換回路が前記内部電源と接続された状態で、火災を検出したときに、前記電源回路の電圧レベルをサンプリングして、該サンプリングした電圧レベルに基づき前記信号線の断線を検出し、前記信号線の断線を検出しない場合は前記火災信号出力回路により火災信号を出力させ、また、前記信号線の断線を検出した場合は前記無線送信回路により火災信号を出力させることを特徴とする請求項１または２のいずれかに記載の火災感知器。
【請求項４】
断線信号を無線送信する無線送信回路と、を備え、
前記制御回路は、前記電源切換回路が前記内部電源と接続された状態で、一定期間火災を検出しなかったときに、前記電源回路の電圧レベルをサンプリングし、該サンプリングした電圧レベルに基づき前記信号線の断線を検出し、前記信号線の断線を検出しない場合は前記電源切換回路を前記電源回路に接続させ、また、前記信号線の断線を検出した場合は前記無線送信回路により断線信号を出力させることを特徴とする請求項１または２のいずれかに記載の火災感知器。
【請求項５】
前記無線送信回路により送信される火災信号または断線信号は、無線通信網を介して、管理人の携帯電話に送信されることを特徴とする請求項３〜４記載の火災感知器。
【発明の詳細な説明】
【技術分野】
【０００１】
本発明は、地震等よる振動を検出する振動検出回路を備えた火災感知器に関する。
【背景技術】
【０００２】
地震が発生したときには、より早く火災を検知して、迅速な処置を行い、災害を未然に、又は最小限にくい止めることを目的として、地震等による振動を検出する振動検出回路を火災感知器に設け、地震の振動を検出した場合は、火災感知器の検知感度をアップするものが知られている（例えば、特許文献１参照）。
【０００３】
基本的に、このような火災感知器は、火災受信機と信号線で接続されて火災報知設備を構成している。そして、火災感知器の電源電圧は、信号線を通じて火災受信機から印加供給されており、また、火災感知器は火災を検知すると、火災信号を信号線上に出力する。火災受信機はこの火災信号を受信、表示することで、この火災報知設備が設けられた建物の管理人に火災発生を報知できるようになっている。
【特許文献１】特開平１０−１８８１７４号公報
【発明の開示】
【発明が解決しようとする課題】
【０００４】
地震が発生すると、その振動により信号線が断線することが考えられ、断線してしまうと、火災感知器には信号線からの電源電圧が供給されなくなるため、動作しなくなってしまうという問題があった。
【０００５】
また、火災感知器の検知感度をアップすると、早く火災を検知できる場合もあるが、検知感度の調整次第では、逆に、ノイズによって火災と誤検出してしまうという問題があった。これは、火災感知器として煙感知器を例に挙げると、煙感知器の暗箱内における経時的な汚れの増大により、初期時と比べてノイズレベルが増大することによる。
【０００６】
本発明は、上記課題を解決するためになされたもので、地震等の振動を検出する振動検出回路を備え、火災受信機から電源電圧が供給される火災感知器において、地震が発生して信号線が断線しても動作が可能となり、またこの場合において、火災を検出した場合に、確実に火災発生を報知できるようにすることを目的とする。
【課題を解決するための手段】
【０００７】
本発明は、火災受信機から信号線に印加される電源電圧を取り込む電源回路と、地震等による振動量を検出し、該検出した振動量に応じた振動量レベルを出力する振動検出回路と、火災現象に関する物理量を検出し、該検出した物理量に応じた物理量レベルを出力する火災検出回路と、前記振動量レベルに基づいて地震を検出し、また前記物理量レベルに基づいて火災を検出する制御回路と、を備えた火災感知器において、内部電源と、前記電源回路または内部電源のいずれかを切換接続して、火災感知器電源として選択する電源切換回路と、を備え、前記電源切換回路は、通常時は前記電源回路と接続されており、前記制御回路が地震を検出すると、前記電源切換回路は、前記内部電源と接続されることを特徴とする。
【０００８】
また、前記制御回路は、地震を検出したときにおける前記物理量レベルのサンプリング周期を、地震を検出していないときにおける前記物理量レベルのサンプリング周期よりも早くすることを特徴とする。
【０００９】
また、前記信号線に火災信号を出力する火災信号出力回路と、火災信号を無線送信する無線送信回路と、を備え、前記制御回路は、前記電源切換回路が前記内部電源と接続された状態で、火災を検出したときに、前記電源回路の電圧レベルをサンプリングして、該サンプリングした電圧レベルに基づき前記信号線の断線を検出し、前記信号線の断線を検出しない場合は前記火災信号出力回路により火災信号を出力させ、また、前記信号線の断線を検出した場合は前記無線送信回路により火災信号を出力させることを特徴とする。
【００１０】
また、断線信号を無線送信する無線送信回路と、を備え、前記制御回路は、前記電源切換回路が前記内部電源と接続された状態で、一定期間火災を検出しなかったときに、前記電源回路の電圧レベルをサンプリングし、該サンプリングした電圧レベルに基づき前記信号線の断線を検出し、前記信号線の断線を検出しない場合は前記電源切換回路を前記電源回路に接続させ、また、前記信号線の断線を検出した場合は前記無線送信回路により断線信号を出力させることを特徴とする。
【００１１】
また、前記無線送信回路により送信される火災信号または断線信号は、無線通信網を介して、管理人の携帯電話に送信されることを特徴とする。
【発明の効果】
【００１２】
この振動検出回路を備えた火災感知器は、火災受信機から信号線に印加される電源電圧を取り込む電源回路または内部電源のいずれかを切換接続して、火災感知器電源として選択する電源切換回路を備えている。この電源切換回路は、通常時は電源回路と接続されている。そして、振動検出回路の振動量レベルに基づき地震を検出する制御回路が地震を検出すると、電源切換回路は、内部電源と接続される。つまり、地震が発生した場合は、信号線が断線する可能性が高いので、火災感知器を内部電源でとりあえず動作させて動作停止することを防止する。そのため、火災受信機から電源電圧が供給される火災感知器において、地震が発生して信号線が断線したとしても動作が可能となる。
【００１３】
また、制御回路は、火災検出回路の物理量レベルに基づき火災を検出するが、  地震を検出したときにおける物理量レベルのサンプリング周期を、地震を検出していないときにおける物理量レベルのサンプリング周期よりも早くする。そのため、地震が発生したときには、従来のように検知感度をアップすることでノイズによって火災と誤検出してしまうという問題をなくすため、検知感度はそのままにしておきながらも、通常時よりも、早く火災を検知できる。
【００１４】
また、この振動検出回路を備えた火災感知器は、信号線に火災信号を出力する火災信号出力回路と、火災信号を無線送信する無線送信回路と、を備えている。また、制御回路は、電源切換回路が内部電源と接続された状態で、火災を検出したときに、電源回路の電圧レベルをサンプリングして、該サンプリングした電圧レベルに基づき信号線の断線を検出する。そして、信号線の断線を検出しない場合は火災信号出力回路により火災信号を出力させ、また、信号線の断線を検出した場合は無線送信回路により火災信号を出力させる。そのため、地震が発生して信号線が断線したとしても、火災を検出した場合に、確実に火災発生を報知することができる。
【００１５】
また、この振動検出回路を備えた火災感知器は、断線信号を無線送信する無線送信回路を備えている。また、制御回路は、電源切換回路が内部電源と接続された状態で、一定期間火災を検出しなかったときに、電源回路の電圧レベルをサンプリングし、該サンプリングした電圧レベルに基づき信号線の断線を検出する。そして、信号線の断線を検出しない場合は電源切換回路を電源回路に接続させるので、内部電源から火災感知器への電源供給期間を最低限とすることができて、その寿命を延ばすことができる。また、信号線の断線を検出した場合は無線送信回路により断線信号を出力させるので、地震が発生して信号線が断線したことを確実に報知することができる。
【００１６】
また、無線送信回路により送信される火災信号または断線信号は、無線通信網を介して、管理人の携帯電話に送信される。そのため、地震が発生して信号線が断線したとしても、確実に火災発生または断線発生を報知することができる。ここで、例えば、地震が発生したことにより、建物内の他の場所での火災発生や建物の損壊など、様々な緊急事態発生で、管理人が火災受信機の表示確認を行えない場合が考えられる。しかし、火災信号または故障信号が送信される携帯電話は管理人が携帯しているので、確実に火災発生または故障発生を報知することができる。
【発明を実施するための最良の形態】
【００１７】
図１は、本発明の一実施例を示す火災感知器の概略ブロック図を含む火災報知設備の一部概略構成図である。また、図２は、火災感知器における制御回路の動作を示すフローチャートである。
【００１８】
まず、詳細に図示していないが、複数の火災感知器ＳＥが、信号線Ｃ，Ｌとしてのコモン線Ｃとライン線Ｌとの間に並列に接続されており、この火災感知器ＳＥが火災受信機（図示せず）と信号線Ｃ，Ｌで接続されて火災報知設備を構成している。
【００１９】
この火災感知器ＳＥは、火災受信機（図示せず）から信号線Ｃ，Ｌに印加される電源電圧を取り込む電源回路２０と、内部電源の一例である内部電池１９と、電源回路２０または内部電源１９のいずれかを切換接続して、火災感知器ＳＥの電源として選択する電源切換回路１８と、地震等による振動量を検出し、該検出した振動量に応じた振動量レベルを出力する振動検出回路１０と、火災現象に関する物理量を検出し、該検出した物理量に応じた物理量レベルを出力する火災検出回路１１と、火災感知器ＳＥの全体の制御を行う制御回路１２とを備えている。この制御回路１２は、振動量レベルに基づいて地震を検出し、また物理量レベルに基づいて火災を検出し、さらに電源回路２０の電圧レベルに基づいて信号線Ｃ，Ｌの断線を検出する。
【００２０】
さらに、火災感知器ＳＥは、火災検出及び信号線Ｃ，Ｌの断線検出に対応した音響を出力する音響回路１３と、電源回路２０からの電源電圧を取り込んで、振動検出回路１０と火災検出回路１１と制御回路１２及び音響回路１３に一定電圧を供給する定電圧回路１４と、火災検出に対応した火災信号及び信号線Ｃ，Ｌの断線検出に対応した断線信号を無線送信する無線送信回路１５と、無線送信回路１５による無線送信時のみに閉じるスイッチ１５Ａと、火災検出及び信号線Ｃ，Ｌの断線検出に対応した表示を行う確認灯回路１６と、火災検出時に信号線Ｃ，Ｌ上に火災信号を出力する火災信号出力回路１７とを備えている。
【００２１】
電源切換回路１８は、通常時は電源回路２０と接続されており、制御回路１２が地震を検出すると、電源切換回路１８は、電源回路２０との接続を切り放して  内部電池１９と接続される。つまり、地震が発生した場合は、信号線Ｃ，Ｌが断線する可能性が高いので、火災感知器ＳＥを内部電池１９でとりあえず動作させて動作停止することを防止する。そのため、火災受信機から電源電圧が供給される火災感知器ＳＥにおいて、地震が発生して信号線Ｃ，Ｌが断線したとしても動作が可能となる。
【００２２】
制御回路１２は、地震を検出したときにおける物理量レベルのサンプリング周期を、地震を検出していないときにおける物理量レベルのサンプリング周期よりも早くする。例えば、サンプリング周期は、地震を検出したときは１秒、地震を検出していないときは５秒である。そのため、地震が発生したときには、従来のように検知感度をアップすることでノイズによって火災と誤検出してしまうという問題をなくすため、検知感度はそのままにしておきながらも、通常時よりも、早く火災を検知できる。
【００２３】
また、制御回路１２は、電源切換回路１８が内部電池１９と接続された状態で、火災を検出したときに、電源回路２０の電圧レベルをサンプリングして、該サンプリングした電圧レベルに基づき信号線Ｃ，Ｌの断線を検出し、信号線Ｃ，Ｌの断線を検出しない場合は火災信号出力回路１７により火災信号を出力させ、また、信号線Ｃ，Ｌの断線を検出した場合は無線送信回路１５により火災信号を出力させる。そのため、地震が発生して信号線Ｃ，Ｌが断線したとしても、火災を検出した場合に、確実に火災発生を報知できる。
【００２４】
さらに、制御回路１２は、電源切換回路１８が内部電池１９と接続された状態で、一定期間火災を検出しなかったときに、電源回路２０の電圧レベルをサンプリングし、該サンプリングした電圧レベルに基づき信号線Ｃ，Ｌの断線を検出し、信号線Ｃ，Ｌの断線を検出しない場合は電源切換回路１８を電源回路２０に接続させ、また、信号線Ｃ，Ｌの断線を検出した場合は無線送信回路１５により断線信号を出力させる。信号線Ｃ，Ｌの断線を検出しない場合は電源切換回路１８を電源回路２０に接続させるので、内部電池１９から火災感知器ＳＥへの電源供給期間を最低限とすることができて、その寿命を延ばすことができる。また、信号線Ｃ，Ｌの断線を検出した場合は無線送信回路１５により断線信号を出力させるので、地震が発生して信号線Ｃ，Ｌが断線したことを確実に報知できる。
【００２５】
ここで、無線送信回路１５は、火災信号及び断線信号を無線送信するが、これら信号は、無線通信網ネットワークＮＷを介して、サーバＳＶに送信され、このサーバＳＶから火災報知設備の管理人Ｍの携帯電話Ｋに、電子メールとして送信される。そのため、制御回路１２の記憶部（図示せず）には、管理人Ｍの携帯電話Ｋの電子メールアドレスと、火災信号及び故障信号に対応した文字メッセージが記憶されている。
【００２６】
無線送信回路１５により送信される火災信号または断線信号は、無線通信網ネットワークＮＷを介して、管理人Ｍの携帯電話Ｋに送信されるので、地震が発生して信号線Ｃ，Ｌが断線したとしても、確実に火災発生または断線発生を報知できる。ここで、例えば、地震が発生したことにより、建物内の他の場所での火災発生や建物の損壊など、様々な緊急事態発生で、管理人Ｍが火災受信機の表示確認を行えない場合が考えられる。しかし、火災信号または故障信号が送信される携帯電話Ｋは管理人Ｍが携帯しているので、確実に火災発生または故障発生を報知できる。
【００２７】
つぎに、火災感知器ＳＥの動作を、制御回路１２の動作に基づいて、図２のフローチャートにより説明する。
【００２８】
まず、制御回路１２は、電源切換回路１８を制御して、電源切換回路１８を電源回路２０に切換接続する（Ｓ１）。そのため、火災感知器ＳＥの電源として、電源回路２０により信号線Ｃ，Ｌから取り込まれた電源電圧が供給される。
【００２９】
つぎに、制御回路１２は、振動検出回路１０の振動量レベルをサンプリングし、この振動量レベルに基づき、地震を検出したか否かを判断する（Ｓ２）。通常時、つまり地震を検出してない場合は(Ｓ２)、火災検出回路１１の物理量レベルを例えば５秒の通常周期でサンプリングして（Ｓ３）、この物理量レベルに基づき火災を検出したか否かを判断する（Ｓ４）。火災を検出しない場合は（Ｓ４）、ステップＳ２へ戻り、また、火災を検出した場合は（Ｓ４）、火災信号出力回路１７を制御して、火災信号出力回路１７から火災信号を信号線Ｃ，Ｌ上に出力させる。また、確認灯回路１６を制御して、火災検出に対応させて確認灯（図示せず）を点灯させ、また、音響回路１３を制御して、火災検出に対応させて音響を継続鳴動させる（Ｓ５）。なお、信号線Ｃ，Ｌ上に出力された火災信号を火災受信機（図示せず）が受信して、表示することで、火災発生が報知される。
【００３０】
ステップＳ２において、地震を検出した場合は（Ｓ２）、制御回路１２は、電源切換回路１８を制御して、電源切換回路１８を電源回路２０から内部電池１９に切換接続する（Ｓ６）。そのため、火災感知器ＳＥの電源として、内部電池１９から電源電圧が供給される。
【００３１】
つぎに、火災検出回路１１の物理量レベルを通常周期よりも早い周期、例えば１秒の早い周期でサンプリングして（Ｓ７）、この物理量レベルに基づき火災を検出したか否かを判断する（Ｓ８）。火災を検出した場合は（Ｓ８）、電源回路２０の電圧レベルをサンプリングして、この電圧レベルに基づき信号線Ｃ，Ｌの断線を検出したか否かを判断する（Ｓ９）。電圧ありの場合、つまり信号線Ｃ，Ｌが断線していない場合は（Ｓ９）、火災信号出力回路１７を制御して、火災信号出力回路１７から火災信号を信号線Ｃ，Ｌ上に出力させる。また、確認灯回路１６を制御して、火災検出に対応させて確認灯（図示せず）を点灯させ、また、音響回路１３を制御して、火災検出に対応させて音響を継続鳴動させる（Ｓ１０）。
【００３２】
また、電圧なしの場合、つまり信号線Ｃ，Ｌが断線している場合は（Ｓ９）、制御回路１２は、無線送信回路１５を制御して、無線送信回路１５から火災信号を出力させる。また、確認灯回路１６を制御して、火災検出に対応させて確認灯（図示せず）を点灯させ、また、音響回路１３を制御して、火災検出に対応させて音響を継続鳴動させる（Ｓ１１）。
【００３３】
なお、制御回路１２は、無線送信回路１５から火災信号を出力しているときのみ、スイッチ１５Ａを閉じるように制御することで、火災感知器ＳＥの電源電圧の無駄な消費を抑制している。また、無線送信回路１５から火災信号を出力させる際に、制御回路１２は、火災信号として、管理人Ｍの携帯電話Ｋの電子メールアドレスと、火災信号に対応した文字メッセージとを含む電子メールを無線通信網ネットワークＮＷを介して、サーバＳＶに送信する。そして、サーバＳＶから火災報知設備の管理人Ｍの携帯電話Ｋに、火災信号としての電子メールが送信される。
【００３４】
また、ステップＳ８において、火災を検出しなかった場合は（Ｓ８）、地震検出から一定期間経過したか否かを判断し（Ｓ１２）、一定期間経過していない場合は（Ｓ１２）、ステップＳ７へ戻る。また、一定期間経過した場合は（Ｓ１２）、電源回路２０の電圧レベルをサンプリングして、この電圧レベルに基づき信号線Ｃ，Ｌの断線を検出したか否かを判断する（Ｓ１３）。電圧ありの場合、つまり信号線Ｃ，Ｌが断線していない場合は（Ｓ１３）、ステップＳ１へ戻り、制御回路１２は、電源切換回路１８を制御して、電源切換回路１８を電源回路２０に切換接続する（Ｓ１）。そのため、火災感知器ＳＥの電源として、電源回路２０により信号線Ｃ，Ｌから取り込まれた電源電圧が供給される。
【００３５】
また、電圧なしの場合、つまり信号線Ｃ，Ｌが断線している場合は（Ｓ１３）、制御回路１２は、無線送信回路１５を制御して、無線送信回路１５から断線信号を出力させる。また、確認灯回路１６を制御して、断線検出に対応させて確認灯（図示せず）を点滅させ、また、音響回路１３を制御して、断線検出に対応させて音響を断続鳴動させる（Ｓ１４）。
【００３６】
なお、制御回路１２は、無線送信回路１５から断線信号を出力しているときのみ、スイッチ１５Ａを閉じるように制御することで、火災感知器ＳＥの電源電圧の無駄な消費を抑制している。また、無線送信回路１５から断線信号を出力させる際に、制御回路１２は、断線信号として、管理人Ｍの携帯電話Ｋの電子メールアドレスと、断線信号に対応した文字メッセージとを含む電子メールを無線通信網ネットワークＮＷを介して、サーバＳＶに送信する。そして、サーバＳＶから火災報知設備の管理人Ｍの携帯電話Ｋに、断線信号としての電子メールが送信される。
【００３７】
なお、ステップＳ１１において、制御回路１２は、火災検出を報知するように、無線送信回路１５、確認灯回路１６、音響回路１３を制御する。しかし、ステップＳ１１において、制御回路１２は、火災と断線の両方を検出しているので、これらの２つを検出したことを報知するように、無線送信回路１５、確認灯回路１６、音響回路１３を制御するようにしてもよい。例えば、無線送信回路１５では火災信号と断線信号の出力、確認灯回路１６では確認灯（図示せず）の点灯と点滅の交互表示、音響回路１３では継続鳴動と断続鳴動の交互鳴動を行うように制御してもよい。
【００３８】
また、ステップＳ２で地震を検出しない通常時においても、何らかの原因で信号線Ｃ，Ｌが断線することも考えられるので、ステップＳ２〜ステップＳ４の間に、電源回路２０の電圧レベルを監視するステップを設け、信号線Ｃ，Ｌの断線を検出した場合は、火災感知器ＳＥの電源を内部電池１９に切り換えてから、無線送信回路１５から断線信号を出力するようにしてもよい。
【００３９】
前記実施例においては、無線送信回路１５により送信される火災信号または断線信号は、無線通信網ネットワークＮＷを介して、管理人Ｍの携帯電話Ｋに送信されるようにして、例えば、地震が発生したことによる様々な緊急事態発生で、管理人Ｍが火災受信機の表示確認を行えない場合も、管理人Ｍに対して、確実に火災発生または故障発生を報知できるようにした。しかし、管理人Ｍが火災受信機の表示確認を行えるのであれば、無線送信回路１５により送信される火災信号または断線信号を火災受信機に送信するようにし、また、火災受信機に火災信号または断線信号を受信する無線受信回路を設けて、火災受信機により火災表示または断線表示を行うようにしてもよい。
【００４０】
なお、前記実施例では、信号線Ｃ，Ｌの断線で説明したが、信号線Ｃ，Ｌの地絡等によって火災感知器ＳＥに電源電圧の供給がない場合においても同様である。
【００４１】
前記実施例においては、振動検出回路１０を火災感知器ＳＥに設けるようにしたが、地震を検出する振動検出器を火災感知器と別体として設けて、火災報知設備を構成してもよい。つまり、信号線を介して、火災感知器（振動検出回路１０なし）と振動検出器とを火災受信機に接続し、振動検出器の地震検知信号を火災感知器（振動検出回路１０なし）が受信するような構成であってもよい。
【図面の簡単な説明】
【００４２】
【図１】本発明の一実施例を示す火災感知器の概略ブロック図を含む火災報知設備の一部概略構成図である。
【図２】火災感知器における制御回路の動作を示すフローチャートである。
【符号の説明】
【００４３】
ＳＥ…火災感知器
ＮＷ…無線通信ネットワーク
Ｋ…携帯電話
Ｍ…管理人
１０…振動検出回路
１１…火災検出回路
１２…制御回路
１５…無線送信回路
１７…火災信号出力回路
１８…電源切換回路
１９…内部電池（内部電源）
２０…電源回路
【図１】
2005266950.tif 000003
【図２】
2005266950.tif 000004